(57)【要約】【課題】高速デジタルデータ通信システムにおけるノイズの影響を最小化することで、受信感度を改善し得る高速デジタルデータ通信システムの受信装置及びその方法を提供しようとする。【解決手段】受信信号のデータ速度に応じた変調方式及びデータポインタの位置を判断するＭＳＭ３０と、該ＭＳＭ３０から収集された情報を基準にして、データポインタの位置変更に対する制御信号を生成する制御部２６と、該制御部２６から出力された制御信号に応じてデータポインタの位置を決定した後、信号を復調する復調器２７と、を包含して高速デジタルデータ通信システムの受信装置を構成する。【選択図】  図１
2004312654.tif 000002
【特許請求の範囲】
【請求項１】
受信信号のデータ速度に応じた変調方式及びデータポインタの位置を判断するＭＳＭ（ｍｏｂｉｌｅ  ｓｔａｔｉｏｎ  ｍｏｄｅｍ）と、
該ＭＳＭから収集された情報を基準にして、データポインタの位置変更に対する制御信号を生成する制御部と、
該制御部から出力された制御信号に応じてデータポインタの位置を決定した後、信号を復調する復調器と、を包含して構成されることを特徴とする高速デジタルデータ通信システムの受信装置。
【請求項２】
前記ＭＳＭは、
受信信号をデジタルデータに変換するアナログ／デジタル変換器と、
受信信号のデータ速度を判断する速度判断部と、から構成されることを特徴とする請求項１記載の高速デジタルデータ通信システムの受信装置。
【請求項３】
前記制御部は、
受信信号のデータ速度に応じて各データポインタ間の間隔を相異に制御することを特徴とする請求項１記載の高速デジタルデータ通信システムの受信装置。
【請求項４】
前記各データポインタ間の間隔は、
中心と内部列のデータポインタ間の間隔より、内部列のデータポインタと外部列のデータポインタ間の間隔が大きいことを特徴とする請求項３記載の高速デジタルデータ通信システムの受信装置。
【請求項５】
入力されたＲＦ信号を増幅する増幅器と、
該増幅器から出力された信号の不要波成分を除去する帯域通過フィルタと、
該帯域通過フィルタの出力信号と電圧制御発振器の出力信号とを混合してＩＦ信号として出力する周波数混合器と、
受信されたデータの速度に応じたデータ変調方法を判断するＭＳＭと、
受信信号のデータ速度に応じてデータポインタの位置を変更する制御信号を生成する制御部と、
該制御信号に応じて周波数混合器の出力信号を復調する復調器と、を包含して構成されることを特徴とする高速デジタルデータ通信システムの受信装置。
【請求項６】
前記ＭＳＭは、
受信信号のデータ速度を判断する速度判断部から構成されることを特徴とする請求項５記載の高速デジタルデータ通信システムの受信装置。
【請求項７】
前記データ変調方法は、
受信信号が高速データであると、１６ＱＡＭを使用することを特徴とする請求項５記載の高速デジタルデータ通信システムの受信装置。
【請求項８】
前記制御部は、
中心と内部列のデータポインタ間の間隔より、内部列のデータポインタと外部列のデータポインタ間の間隔を大きく制御することを特徴とする請求項５記載の高速デジタルデータ通信システムの受信装置。
【請求項９】
受信信号のデータ変調方式を判断する過程と、
該当のデータ変調方式の各データポインタの位置間隔を夫々変更する過程と、を順次行うことを特徴とする高速デジタルデータ通信システムの受信方法。
【請求項１０】
前記データ変調方式は、
受信信号のデータ速度に応じて可変されることを特徴とする請求項９記載の高速デジタルデータ通信システムの受信方法。
【請求項１１】
前記各データポインタ間の間隔は、
中心と内部列のデータポインタ間の間隔より、内部列のデータポインタと外部列のデータポインタ間の間隔が大きいことを特徴とする請求項９記載の高速デジタルデータ通信システムの受信方法。
【請求項１２】
受信信号のデータ速度を判断する過程と、
データの変調方式を決定する過程と、
該当のデータ変調方式の各データポインタの位置間隔を制御する過程と、
制御信号に応じてデータポインタの位置を変更して決定する過程と、を順次行うことを特徴とする高速デジタルデータ通信システムの受信方法。
【請求項１３】
前記データ変調方式は、
受信信号が高速データであると、１６ＱＡＭ方式を使用することを特徴とする請求項１２記載の高速デジタルデータ通信システムの受信方法。
【請求項１４】
前記各データポインタ間の間隔を制御する過程は、
基本データポインタの位置で、内部列のデータポインタと外部列のデータポインタ間の間隔をより大きくすることを特徴とする請求項１２記載の高速デジタルデータ通信システムの受信方法。
【請求項１５】
高速データ変調方式の信号を受信する過程と、
基本データポインタの位置で、外部列のデータポインタの位置を変更するように制御する過程と、
該変更されたデータポインタを中心にして受信信号を復調する過程と、を順次行うことを特徴とする高速デジタルデータ通信システムの受信方法。
【請求項１６】
前記外部列のデータポインタの位置は、
基本データポインタの位置より、外側方向に更に大きく変更されることを特徴とする請求項１５記載の高速デジタルデータ通信システムの受信方法。
【発明の詳細な説明】
【０００１】
【発明の属する技術分野】
本発明は、高速デジタルデータ通信システムに係るもので、詳しくは、データ速度に応じて復調方式及びデータポインタの位置間隔を可変する高速デジタルデータ通信システムの受信装置及びその方法に関するものである。
【０００２】
【従来の技術】
最近、移動通信システムは、次世代移動通信システムから提供される音声サービスの他に、高品質のインターネットサービス、ＶＯＤのような動映像コンテンツサービス、クレジットカード又は各種の身分証明書、及び電子印鑑機能を含む個人中心のサービスを提供してあり、使用者の多様な要求に適合するマルチメディアサービスとしての移動通信システム並びに、その技術開発に対する関心が増大されつつある。
【０００３】
現在の帯域拡散通信技術により高速データ伝送が可能なＣＤＭＡ２０００は、ＣＤＭＡ２０００１ｘと１ｘＥＶ−ＤＯとに大別されるが、前記ＣＤＭＡ２０００１ｘは、ＩＳ−９５Ａ及びＩＳ−９５Ｂ網から進化されたＩＳ−９５Ｃ網を利用することで、それらＩＳ−９５Ａ及びＩＳ−９５Ｂ網で支援する速度の９．６ｋｂｐｓや６５ｋｂｐｓより遥かに速い１５３．６ｋｂｐｓまで支援し得るサービスであって、音声及びＷＡＰサービス品質の向上だけでなく、多様なマルチメディアサービスの支援が可能である。且つ、個人間の通信だけでなく、ビジネス、電子商取引及び先端産業分野まで幅広く適用されている。
【０００４】
一方、前記１ｘＥＶ−ＤＯ（１ｘ  Ｅｖｏｌｕｔｉｏｎ−Ｄａｔａ  Ｏｐｔｉｍｉｚｅｄ）は、高速／高容量データ伝送に最適化したパケットデータ専用のプロトコルであって、ＣＤＭＡ２０００ｘ１と同様な周波数帯域のＣＤＭＡチャンネルにより使用者にデータを伝送するが、この時、前記１ｘＥＶ−ＤＯは、ＣＤＭＡ２０００１ｘの順方向チャンネルの１５３．６ｋｂｐｓよりもほぼ１６倍まで向上された約２．４Ｍｂｐｓのデータ速度を実現し、容量においても、ＣＤＭＡ２０００１ｘよりほぼ５倍向上されて、多数の使用者に同時に高速データサービスを提供することができる。よって、前記１ｘＥＶ−ＤＯは、向上されたデータ伝送速度及び容量により、無線インターネット接続、実時間交通情報、インターネットゲーム及びＭ−ｃｏｍｍｅｒｃｅのような多様なマルチメディアコンテンツを提供する。
【０００５】
且つ、前記１ｘＥＶ−ＤＯは、無線区間で各使用者の伝送速度を動的に割り当て、パケットデータの有するタイムスロットを最大限活用することで、無線区間及びシステムの使用効率を極大化させる。
【０００６】
図４は、ＣＤＭＡ−２０００１ｘ及び１ｘＥＶ−ＤＯシステムにも適用される従来移動通信システムの基地局の受信部構造を示した図で、図示されたように、従来移動通信システムの基地局の受信部においては、外部からアンテナを通して受信されたＲＦ信号を増幅する低雑音増幅器（ｌｏｗ  ｎｏｉｓｅ  ａｍｐｌｉｆｉｅｒ：ＬＮＡ）１と、該低雑音増幅器１から出力された信号の不要波成分を除去する第１帯域通過フィルタ（ｂａｎｄ  ｐａｓｓ  ｆｉｌｔｅｒ）２と、該第１帯域通過フィルタ２の出力信号を電圧制御発振器９の出力信号と混合してＩＦ信号として出力する周波数混合器３と、該周波数混合器３の出力信号の特定領域をフィルタリングする第２帯域通過フィルタ４と、該第２帯域通過フィルタ４の出力信号をＩ−信号とＱ−信号とに分割して夫々出力する復調器５と、該復調器５のＩ／Ｑ信号をデジタル信号に変換して元の信号を再生するＭＳＭ（ｍｏｂｉｌｅ  ｓｔａｔｉｏｎ  ｍｏｄｅｍ）７と、を包含して構成されている。
【０００７】
又、前記周波数混合器３は、位相同期ループ（ｐｈａｓｅ  ｌｏｃｋｅｄ  ｌｏｏｐ）８により制御された電圧制御発振器９の出力信号と、第１帯域通過フィルタ２から出力されたＲＦ信号とを混合してＩＦ信号として出力する。
【０００８】
又、前記ＭＳＭ７は、前記復調器５から出力されるＩ／Ｑ信号が低域通過フィルタ６を経てフィルタリングされて入力されると、前記Ｉ／Ｑ信号をデジタル信号に変換するアナログ／デジタル変換器１０を含んでいて、この時、該アナログ／デジタル変換器１０から出力されたデジタル信号はＭＳＭ７から元の信号に再生される。
【０００９】
以下、このように構成された移動通信システムにおける基地局の受信部の動作に対し説明する。まず、アンテナを通して入力されたＲＦ信号は低雑音増幅器１を通して増幅された後、第１帯域通過フィルタ２を経て各不要波成分が除去されて周波数混合器３に入力される。次いで、該周波数混合器３に入力された信号は、電圧制御発振器９を通して入力される信号と混合されてＩＦ信号として出力された後、第２帯域通過フィルタ４に入力される。
【００１０】
次いで、該第２帯域通過フィルタ４は、周波数混合器３から出力されたＩＦ信号をフィルタリングして復調器５に入力し、該復調器５に入力されたＩＦ信号は、Ｉ／Ｑ信号に変換された後、低域通過フィルタ６に入力されてフィルタリングされ、該低域通過フィルタ６により出力された各Ｉ／Ｑ信号は、アナログ／デジタル変換器１０を経てデジタル信号に変換されて、ＭＳＭ７により元の信号に再生される。
【００１１】
一般に、現在用いられる１ｘＥＶ−ＤＯシステムの場合、基地局から移動通信端末機にデータを伝送する順方向チャンネルは１２種類のデータ速度で通信し、移動通信端末機から基地局にデータを伝送する逆方向チャンネルは５種類のデータ速度で通信するが、この時、前記データの伝送速度は、移動通信端末機の基地局間の通信品質及び伝送データの速度に応じて逆方向の伝送速度を基地局から自動的に調節して送信する。
【００１２】
又、前記順方向チャンネルは、Ｉ／Ｑデータに入力された全てのチャンネルが時分割されて、一つの信号として無線区間に伝送され、前記順方向の場合、チャンネル条件に応じて多様な変調方法が用いられるが、伝送速度に応じて、３８．４ｋｂｐｓ〜１２２８．８ｋｂｐｓまでの８種類はＱＰＳＫ（ｑｕａｄｒａｔｕｒｅ  ｐｈａｓｅ  ｓｈｉｆｔ  ｋｅｙｉｎｇ）を使用し、９２４．６ｋｂｐｓ〜１８４３．２ｋｂｐｓは８ＰＳＫ（ｐｈａｓｅ  ｓｈｉｆｔ  ｋｅｙｉｎｇ）、１２２８．８ｋｂｐｓ及び２４５７．６ｋｂｐｓは１６ＱＡＭ（ｑｕａｄｒａｔｕｒｅ  ａｍｐｌｉｔｕｄｅ  ｍｏｄｕｌａｔｉｏｎ）を使用する。よって、データの伝送速度に応じて変調方式を変えて使用するが、低速の場合はＱＰＳＫ方式を使用し、高速の場合は１６ＱＡＭ方式を使用する。
【００１３】
図５Ａ〜Ｃは一般的な１ｘＥＶ−ＤＯで使用される変調方式を示した図で、図５ＡはＱＰＳＫ方式を示し、図５Ｂは８ＰＳＫ方式を示し、図５Ｃは１６ＱＡＭ方式を夫々示している。
【００１４】
前記ＱＰＳＫは、００、０１、１０及び１１の４種類の２ビットデジタル信号を区分して伝送する方法で、Ｉ／Ｑ軸から各信号が原点から所定距離離れているため、位相のみで信号の内容を判断することができる。
【００１５】
又、前記８ＰＳＫは、０００、００１、０１０、０１１、１００、１０１、１１０及び１１１の８種類の３ビットデジタル信号を区分して伝送する方法で、図５Ｂに示したように、搬送波の位相を表す円周に同様な間隔で配置された８個の符号点上で位相が変化するように変調して信号を伝送する。
【００１６】
又、前記１６ＱＡＭは、デジタル信号を所定量だけ分類して搬送波信号及び位相を変化させて変調する方法であって、この時、１６ＱＡＭ方式は、位相だけでなく、大きさも変数として使用するため、多量のデジタルデータを同時に伝送することができるが、エラーに脆弱であるという問題点がある。
【００１７】
図６は一般的な信号決定理論を示した図で、各グラフは、信号Ｓ１が時間軸上の一点で分布する確率（Ｐ（Ｚ／Ｓ１））と、信号Ｓ２が時間軸上の一点で分布する確率（Ｐ（Ｐ（Ｚ／Ｓ２））を示したグラフである。
【００１８】
図６に示したように、時間軸０を基準にして、所定区間には若干のエラー確率が存在するが、Ｐ１地点では実際の信号Ｓ２が存在する確率がないため、エラーがほとんど発生しない。その反面、Ｐ２地点では実際の信号Ｓ１がＳ２信号として認識されるため、エラーが発生する。
【００１９】
図７Ａ〜Ｂは、図６に示された信号の決定理論をＱＰＳＫ方式及び１６ＱＡＭ方式のシステムに適用して、同様なノイズが発生した場合を示した図である。
【００２０】
図７Ａに示したように、ＱＰＳＫ方式を使用するＣＤＭＡ２０００１ｘシステムでは、実際のデータがノイズによりｔだけ位相誤差が発生してデータが遷移されたが、データの判断においてはエラーが発生しない。
【００２１】
又、図７Ｂに示したように、１６ＱＡＭ方式を使用する１ｘＥＸ−ＤＯシステムで、実際のデータがノイズによりｔだけ位相誤差が発生してデータが遷移される場合は、データ判断においてエラーが発生する確率が向上する。
【００２２】
即ち、一般に、同様な受信機に存在する多様なノイズにより、位相エラーが同様に発生する場合、ＱＰＳＫを使用する低速データ通信よりも、１６ＱＡＭを使用する高速データ通信がエラーに敏感に反応する。
【００２３】
【発明が解決しようとする課題】
然るに、このような従来高速デジタルデータ通信システムの受信装置においては、低速データ通信よりもノイズ発生に対する位相エラーの発生確率が高いため、受信感度が低下されるだけでなく、受信装置の性能が劣化されるという不都合な点があった。
【００２４】
本発明は、このような従来の課題に鑑みてなされたもので、高速デジタルデータ通信システムにおけるノイズの影響を最小化することで、受信感度を改善し得る高速デジタルデータ通信システムの受信装置及びその方法を提供することを目的とする。
【００２５】
【課題を解決するための手段】
このような目的を達成するため、本発明に係る高速デジタルデータ通信システムの受信装置においては、受信信号のデータ速度に応じた変調方式及びデータポインタの位置を判断するＭＳＭと、該ＭＳＭから収集された情報を基準にして、データポインタの位置変更に対する制御信号を生成する制御部と、該制御部から出力された制御信号に応じてデータポインタの位置を決定した後、信号を復調する復調器と、を包含して構成されることを特徴とする。
【００２６】
且つ、入力されたＲＦ信号を増幅する増幅器と、該増幅器から出力された信号の不要波成分を除去する帯域通過フィルタと、該帯域通過フィルタの出力信号と電圧制御発振器の出力信号とを混合してＩＦ信号として出力する周波数混合器と、受信されたデータの速度に応じたデータ変調方法を判断するＭＳＭと、受信信号のデータ速度に応じてデータポインタの位置を変更する制御信号を生成する制御部と、該制御信号によって周波数混合器の出力信号を復調する復調器と、を包含して構成されることを特徴とする。
【００２７】
又、本発明に係る高速デジタルデータ通信システムの受信方法においては、受信信号のデータ変調方式を判断する過程と、該当のデータ変調方式の各データポインタの位置間隔を夫々変更する過程と、を順次行うことを特徴とする。
【００２８】
且つ、受信信号のデータ速度を判断する過程と、データの変調方式を決定する過程と、該当のデータ変調方式の各データポインタの位置間隔を制御する過程と、制御信号に応じてデータポインタの位置を変更して決定する過程と、を順次行うことを特徴とする。
【００２９】
且つ、高速データ変調方式の信号を受信する過程と、基本データポインタの位置で外部列のデータポインタの位置を変更するように制御する過程と、変更されたデータポインタを中心にして受信信号を復調する過程と、を順次行うことを特徴とする。
【００３０】
本発明の高速デジタルデータ通信システムの受信装置は、受信信号のデータ速度に応じた変調方式及びデータポインタの位置を判断するＭＳＭ（ｍｏｂｉｌｅ  ｓｔａｔｉｏｎ  ｍｏｄｅｍ）と、該ＭＳＭから収集された情報を基準にして、データポインタの位置変更に対する制御信号を生成する制御部と、該制御部から出力された制御信号に応じてデータポインタの位置を決定した後、信号を復調する復調器と、を包含して構成されることを特徴とする。
【００３１】
上記本発明の高速デジタルデータ通信システムの受信装置において、前記ＭＳＭは、受信信号をデジタルデータに変換するアナログ／デジタル変換器と、受信信号のデータ速度を判断する速度判断部と、から構成されることが好ましい。
【００３２】
上記本発明の高速デジタルデータ通信システムの受信装置において、前記制御部は、受信信号のデータ速度に応じて各データポインタ間の間隔を相異に制御することが好ましい。
【００３３】
上記本発明の高速デジタルデータ通信システムの受信装置において、前記各データポインタ間の間隔は、中心と内部列のデータポインタ間の間隔より、内部列のデータポインタと外部列のデータポインタ間の間隔が大きいことが好ましい。
【００３４】
また、本発明の高速デジタルデータ通信システムの受信装置は、入力されたＲＦ信号を増幅する増幅器と、該増幅器から出力された信号の不要波成分を除去する帯域通過フィルタと、該帯域通過フィルタの出力信号と電圧制御発振器の出力信号とを混合してＩＦ信号として出力する周波数混合器と、受信されたデータの速度に応じたデータ変調方法を判断するＭＳＭと、受信信号のデータ速度に応じてデータポインタの位置を変更する制御信号を生成する制御部と、該制御信号に応じて周波数混合器の出力信号を復調する復調器と、を包含して構成されることを特徴とする。
【００３５】
上記本発明の高速デジタルデータ通信システムの受信装置において、前記ＭＳＭは、受信信号のデータ速度を判断する速度判断部から構成されることが好ましい。
【００３６】
上記本発明の高速デジタルデータ通信システムの受信装置において、前記データ変調方法は、受信信号が高速データであると、１６ＱＡＭを使用することが好ましい。
【００３７】
上記本発明の高速デジタルデータ通信システムの受信装置において、前記制御部は、中心と内部列のデータポインタ間の間隔より、内部列のデータポインタと外部列のデータポインタ間の間隔を大きく制御することが好ましい。
【００３８】
また、本発明の高速デジタルデータ通信システムの受信方法は、受信信号のデータ変調方式を判断する過程と、該当のデータ変調方式の各データポインタの位置間隔を夫々変更する過程と、を順次行うことを特徴とする。
【００３９】
上記本発明の高速デジタルデータ通信システムの受信方法において、前記データ変調方式は、受信信号のデータ速度に応じて可変されることが好ましい。
【００４０】
上記本発明の高速デジタルデータ通信システムの受信方法において、前記各データポインタ間の間隔は、中心と内部列のデータポインタ間の間隔より、内部列のデータポインタと外部列のデータポインタ間の間隔が大きいことが好ましい。
【００４１】
また、本発明の高速デジタルデータ通信システムの受信方法は、受信信号のデータ速度を判断する過程と、データの変調方式を決定する過程と、該当のデータ変調方式の各データポインタの位置間隔を制御する過程と、制御信号に応じてデータポインタの位置を変更して決定する過程と、を順次行うことを特徴とする。
【００４２】
上記本発明の高速デジタルデータ通信システムの受信方法において、前記データ変調方式は、受信信号が高速データであると、１６ＱＡＭ方式を使用することが好ましい。
【００４３】
上記本発明の高速デジタルデータ通信システムの受信方法において、前記各データポインタ間の間隔を制御する過程は、基本データポインタの位置で、内部列のデータポインタと外部列のデータポインタ間の間隔をより大きくすることが好ましい。
【００４４】
また、本発明の高速デジタルデータ通信システムの受信方法は、高速データ変調方式の信号を受信する過程と、基本データポインタの位置で、外部列のデータポインタの位置を変更するように制御する過程と、該変更されたデータポインタを中心にして受信信号を復調する過程と、を順次行うことを特徴とする。
【００４５】
上記本発明の高速デジタルデータ通信システムの受信方法において、前記外部列のデータポインタの位置は、基本データポインタの位置より、外側方向に更に大きく変更されることが好ましい。
【００４６】
【発明の実施の形態】
以下、本発明の実施の形態に対し、図面に基づいて説明する。
【００４７】
図１は本発明に係る高速デジタルデータ通信システムの受信装置の構成を示した図で、図示されたように、本発明に係る高速デジタルデータ通信システムの受信装置においては、アンテナを通して入力された信号を増幅する低雑音増幅器２１と、該低雑音増幅器２１から出力された信号の不要波成分を除去する第１帯域通過フィルタ２２と、該第１帯域通過フィルタ２２から出力されたＲＦ信号と電圧制御発振器２３の出力信号とを混合してＩＦ信号として出力する周波数混合器２４と、該周波数混合器２４の出力信号をフィルタリングする第２帯域通過フィルタ２５と、受信されたデータの速度によりデータの変調方法を判断し、それによる制御を行うＭＳＭ３０と、該ＭＳＭ３０から伝送された変調情報に応じてデータポインタの位置を決定する制御部２６と、該制御部２６の制御信号に応じて受信信号の復調方式を可変し、Ｉ−信号とＱ−信号とに夫々分割して出力する復調器２７と、を包含して構成されている。
【００４８】
又、前記周波数混合器２４は、位相同期ループ（ｐｈａｓｅ  ｌｏｃｋｅｄ  ｌｏｏｐ）２８によって制御された電圧制御発振器２３の出力信号と第１帯域通過フィルタ２２から出力されたＲＦ信号とを混合してＩＦ信号として出力し、前記復調器２７は前記制御部２６の制御信号に応じて各データポインタ間の間隔を調節してシステムに受信された信号を復調する。
【００４９】
又、前記ＭＳＭ３０は、低域通過フィルタを経て伝送されるＩ／Ｑ信号をデジタル信号に変換するアナログ／デジタル変換器３０ａと、システムに受信された信号のデータ速度を感知する速度判断部３０ｂと、ベースバンドモデム３０ｃと、から構成されている。
【００５０】
且つ、本発明に係る高速デジタルデータ通信システムの受信装置においては、図４に示された従来の受信装置にＭＳＭの特定機能部３０ａ，３０ｂ，３０ｃと、制御部２６を追加して構成することで、システムに受信されたデータの変調方式及び該当のデータポインタ間の間隔を判断し、前記復調器２７を制御して各データポインタ間の間隔を決定するが、それら各データポインタ間の間隔は、内部列のデータポインタ間の間隔より外部列のデータポインタ間の間隔を更に大きく決定することでエラー確率を減少することができる。
【００５１】
一般に、通信システムが低速データ用から高速データ用に使用されるか、又は高速データ専用に使用される場合、高速デジタルデータ通信システムの受信装置は、１６ＱＡＭまたはそれ以上の変調方式によりビット効率を最大化するが、この時、本発明のＭＳＭ３０は、受信されたデータの変調方式及び各データポインタ間の間隔を判断して制御部２６に通報し、前記制御部２６ではＭＳＭ３０から受信された情報により前記復調器２７でデータポインタの位置を変更するように制御する。
【００５２】
図２ＡおよびＢは、本発明に係る高速デジタルデータ通信システムの受信装置にＱＰＳＫ及び１６ＱＡＭを夫々適用した場合を示した図で、各変調方式で同様なエラーが発生する場合が示されている。
【００５３】
一般に、１６ＱＡＭは、１６個のデータポイントが同様な間隔に配置されているが、本発明に係るデータポインタは、図２Ｂに示したように、外部列の１２個のデータポインタ間の間隔が内部の４個のデータポインタ間の間隔より大きく配置され、外部列のデータポインタの間隔が大きくなると、各データポインタの横または列を中心軸とする信号分布確率グラフの間隔が大きくなり、よって、各グラフ間で重なる空間が減少するため、従来の１６ＱＡＭ及びＱＰＳＫよりもエラーの発生確率が改善される。
【００５４】
又、図２Ｂに示したように、本発明に係る高速デジタルデータ通信システムの受信装置においては、ノイズによりｔだけ位相誤差が発生してデータが遷移されたが、データ判断においてはエラーが発生しない。即ち、本発明に係る高速デジタルデータ通信システムの受信装置は、外部列のデータポインタ間の間隔を内部列のデータポインタ間の間隔より大きくすることで、位相エラーにより発生するエラーの発生確率を顕著に減少させることができる。
【００５５】
以下、高速デジタルデータ通信システムの動作に対し、図３に基づいて説明する。
【００５６】
図３は本発明に係る高速デジタルデータ通信システムの受信方法を示したフローチャートで、図示されたように、まず、アンテナに入力されたＲＦ信号は低雑音増幅器２１で増幅され、第１帯域通過フィルタ２２により不要波成分が除去された後、周波数混合器２４に入力される。次いで、該周波数混合器２４に入力されたＲＦ信号は、電圧制御発振器２３の出力信号と混合されてＩＦ信号に変換され、該ＩＦ信号は第２帯域通過フィルタ２５を経て復調器２７に入力され、該復調器２７は入力されたＩＦ信号をＩ／Ｑ信号に変換し、該変換されたＩ／Ｑ信号は低域通過フィルタを経てＭＳＭ３０に入力される（Ｓ１１）。
【００５７】
次いで、前記ＭＳＭ３０は入力された信号のデータ速度が高速であるかを判断し（Ｓ１２、Ｓ１３）、受信信号が高速データであると、１６ＱＡＭ変調方式を使用することを認知する（Ｓ１４）。次いで、受信された各１６ＱＡＭデータポインタの位置を判断し（Ｓ１５）、それらデータポインタの位置に対する情報を制御部に伝送する。
【００５８】
次いで、該制御部は、前記ＭＳＭから伝送されたデータポインタの情報を通して受信信号のデータポインタの位置と基本データポインタの位置間の差を計算した後、前記復調器を制御することで受信信号のデータポインタの位置を変更する（Ｓ１６）。この時、１６ＱＡＭ方式のデータポインタの位置は、中心と内部列のデータポインタ間の間隔より内部列のデータポインタと外部列のデータポインタ間の間隔をより大きく決定される。
【００５９】
即ち、内部列のデータポインタ間の間隔より外部列のデータポインタ間の間隔がより大きく設定されることで、位相誤差によるエラー確率が減少するだけでなく、システムがより安定的に動作される。
【００６０】
然し、前記システムに受信された信号が高速データでないと、受信信号は低速データ変調方式に変調されたと判断し、データポインタの位置間隔を変更せずに、基本データポインタを基準にして受信信号を復調する（Ｓ１７）。
【００６１】
【発明の効果】
以上説明したように、本発明に係る高速デジタルデータ通信システムの受信装置及びその方法においては、受信信号のデータ速度に応じてデータポインタの位置間隔を可変することで、エラー確率を減少し得るという効果がある。
【００６２】
且つ、基本データポインタの位置を変更することで、エラー確率を減らして受信感度を向上し得るだけでなく、感度改善効果によって信号の通達距離を向上し得るという効果がある。
【図面の簡単な説明】
【図１】本発明に係る高速デジタルデータ通信システムの受信装置の構成を示したブロック図である。
【図２Ａ】本発明に係る高速デジタルデータ通信システムの受信装置にＱＰＳＫ及び１６ＱＡＭを夫々適用して示した図である。
【図２Ｂ】本発明に係る高速デジタルデータ通信システムの受信装置にＱＰＳＫ及び１６ＱＡＭを夫々適用して示した図である。
【図３】本発明に係る高速デジタルデータ通信システムの受信方法を示したフローチャートである。
【図４】従来移動通信システムの基地局の受信部構造を示したブロック図である。
【図５Ａ】ＱＰＳＫ方式を示した図である。
【図５Ｂ】８ＰＳＫ方式を示した図である。
【図５Ｃ】１６ＱＡＭ方式を示した図である。
【図６】一般的な信号決定理論を示した図である。
【図７Ａ】図６の信号の決定理論をＱＰＳＫ方式のシステムに適用して示した図である。
【図７Ｂ】図６の信号の決定理論を１６ＱＡＭ方式のシステムに適用して示した図である。
【符号の説明】
２１  低雑音増幅器
２２  第１帯域通過フィルタ
２３  電圧制御発振器
２４  周波数混合器
２５  第２帯域通過フィルタ
２６  制御部
２７  復調器
２８  位相同期ループ
３０  ＭＳＭ
３０ａ  アナログ／デジタル変換器
３０ｂ  速度判断部
３０ｃ：ベースバンドモデム
【図１】
2004312654.tif 000003
【図２Ａ】
2004312654.tif 000004
【図２Ｂ】
2004312654.tif 000005
【図３】
2004312654.tif 000006
【図４】
2004312654.tif 000007
【図５Ａ】
2004312654.tif 000008
【図５Ｂ】
2004312654.tif 000009
【図５Ｃ】
2004312654.tif 000010
【図６】
2004312654.tif 000011
【図７Ａ】
2004312654.tif 000012
【図７Ｂ】
2004312654.tif 000013